(57)【要約】【課題】部分的に締め付け部材を配置しても、締め付け部材の存在が衣類本体部に現れることを抑制することが可能な体型補整衣類を提供する。【解決手段】本発明の一実施形態に係る体型補整衣類１は、着用状態において緊締力を作用させるように複数の身頃部材１２，１４を左右方向に連結して形成された本体部１０と、複数の身頃部材１２，１４の左右方向の異なる連結部分にそれぞれ連結され、本体部１０の緊締力を部分的に大きくする締め付け部材ＣＬとを備える。締め付け部材ＣＬは、上下方向の端部のうち少なくとも一端部が本体部１０に対して遊離するように本体部１０に連結されている。【選択図】図２
2012233286.tif 000002
【特許請求の範囲】
【請求項１】
着用者の上半身の体型補整を行うための体型補整衣類であって、
着用状態において緊締力を作用させるように複数の身頃部材を左右方向に連結して形成された本体部と、
前記複数の身頃部材の左右方向の異なる連結部分にそれぞれ連結され、前記本体部の緊締力を部分的に大きくする締め付け部材と、
を備え、
前記締め付け部材は、上下方向の端部のうち少なくとも一端部が前記本体部に対して遊離するように前記本体部に連結されている、
体型補整衣類。
【請求項２】
前記本体部は、前記複数の身頃部材として前身頃部材と後身頃部材とを少なくとも有している、
請求項１に記載の体型補整衣類。
【請求項３】
前記本体部は、前記複数の身頃部材として右身頃部材と左身頃部材とを少なくとも有している、
請求項１または２に記載の体型補整衣類。
【請求項４】
前記本体部は、前記複数の身頃部材として前記本体部を着脱するための開閉部をさらに有している、
請求項２または３に記載の体型補整衣類。
【請求項５】
前記締め付け部材は、着用者の腹部及び脇腹部に相当する部分に設けられている、請求項１〜４のいずれか１項に記載の体型補整衣類。
【請求項６】
前記締め付け部材は、着用者の背部上部に相当する部分に配置されている、請求項１〜５のいずれか１項に記載の体型補整衣類。
【発明の詳細な説明】
【技術分野】
【０００１】
本発明は、体型の補整を行う衣類に関するものである。
【背景技術】
【０００２】
特許文献１及び２には、体型の補整を行う体型補整衣類として、コルセットが開示されている。コルセットは、難伸縮性又は非伸縮性を有する素材による強い緊締力を利用して、胸部下部よりウエストにかけてのラインを補整するための下着である。特許文献１に開示のコルセットは、バストを覆うためのカップ部を有するタイプのものであり、一方、特許文献２に開示のコルセットは、バストを覆わないタイプのものである。
【０００３】
体型補整衣類としては、コルセットの他にウエストニッパー等も知られている。ウエストニッパーは、伸縮性を有する素材による強い緊締力を利用して、胸部下部よりウエストにかけてのラインを補整するための下着である。
【先行技術文献】
【特許文献】
【０００４】
【特許文献１】実開平０６−０８３０１１号公報
【特許文献２】実用新案登録第３１３９３０２号公報
【発明の概要】
【発明が解決しようとする課題】
【０００５】
ところで、本願発明者らは、この種の体型補整衣類において、部分的に補整力を高めるために（例えば、腹部）、衣類本体部の内側に部分的に締め付け部材（例えば、当て布）を配置して二重構造とすることを考案している。しかしながら、部分的に二重構造とすると、締め付け部材の縫着部分が衣類本体部に現れてしまい、着用者に抵抗感を与えてしまう。
【０００６】
そこで、本発明は、部分的に締め付け部材を配置しても、締め付け部材の存在が衣類本体部に現れることを抑制することが可能な体型補整衣類を提供することを目的とする。
【課題を解決するための手段】
【０００７】
本発明の体型補整衣類は、着用者の上半身の体型補整を行うための体型補整衣類であって、着用状態において緊締力を作用させるように複数の身頃部材を左右方向に連結して形成された本体部と、複数の身頃部材の左右方向の異なる連結部分にそれぞれ連結され、本体部の緊締力を部分的に大きくする締め付け部材とを備える。この締め付け部材は、上下方向の端部のうち少なくとも一端部が本体部に対して遊離するように本体部に連結されている。
【０００８】
この体型補整衣類によれば、締め付け部材における上下方向の端部のうち少なくとも一端部が本体部に対して遊離するように本体部に連結されているので、締め付け部材の存在が衣類本体部に現れることを抑制することができる。したがって、着用者に抵抗感を与えることがない。
【０００９】
また、この体型補整衣類によれば、締め付け部材における上下方向の端部のうち少なくとも一端部が本体部に対して遊離するように本体部に連結されているので、締め付け部材によって覆う部分の贅肉をその遊離端部よりも外側へ移動させることができる。したがって、締め付け部材によって覆う部分の補整力を高めることができる。
【００１０】
ところで、例えば、締め付け部材の全体が衣類本体部に縫着されている場合、締め付け部材の被覆部と非被覆部との境界に段差が生じてしまうことがある。しかしながら、この体型補整衣類によれば、締め付け部材における上下方向の端部のうち少なくとも一端部が本体部に対して遊離するように本体部に連結されているので（例えば、縫着されていないので）、締め付け部材の遊離端部近傍のラインをスムージングすることができる。したがって、部分的に締め付け部材を配置しても、締め付け部材の被覆部と非被覆部との境界に段差が生じることを軽減することができる。
【００１１】
また、例えば、締め付け部材の全体が衣類本体部に縫着されている場合、着用者の動作に対して締め付け部材が追従し難く、締め付け部材の縫着部分が突っ張ってしまうことがある。これにより、体を捻るような動作を行う際に、着用者に窮屈感を与えてしまうことがある。しかしながら、この体型補整衣類によれば、締め付け部材における上下方向の端部のうち少なくとも一端部が本体部に対して遊離するように本体部に連結されているので、体を捻るような着用者の動作に対して締め付け部材の遊離端部を追従し易くすることができ（運動追従性）、締め付け部材の遊離端部が突っ張り難くすることができる。その結果、着用者の窮屈感を低減することができる。
【００１２】
上記した本体部は、複数の身頃部材として前身頃部材と後身頃部材とを少なくとも有していてもよいし、複数の身頃部材として右身頃部材と左身頃部材とを少なくとも有していてもよい。
【００１３】
また、上記した本体部は、複数の身頃部材として本体部を着脱するための開閉部をさらに有していてもよい。
【００１４】
また、上記した締め付け部材は、着用者の腹部及び脇腹部に相当する部分に設けられていることが好ましい。
【００１５】
また、上記した締め付け部材は、着用者の背部上部に相当する部分に配置されていることが好ましい。
【００１６】
例えば、上記したように、体型補整衣類としては、バストを覆わないタイプのものがあり、その場合、体型補整衣類の内側にブラジャーを着用する。この構成によれば、背部上部の締め付け部材によって、ブラジャーのバックベルト、及び、バックベルトの留め具の存在が衣類本体部に現れることを抑制することができる。また、ブラジャーのバックベルト近傍のラインをスムージングすることができる。
【発明の効果】
【００１７】
本発明によれば、部分的に締め付け部材を配置しても、締め付け部材の被覆部と非被覆部との境界に段差が生じることを軽減することができる。
【図面の簡単な説明】
【００１８】
【図１】本発明の第１の実施形態に係るウエストニッパーの裏側を前側から示す図である。
【図２】本発明の第１の実施形態に係るウエストニッパーの裏側を脇側から示す図である。
【図３】本発明の第１の実施形態に係るウエストニッパーの裏側を背側から示す図である。
【図４】第１の実施形態の変形例に係るウエストニッパーの裏側を、開閉部を開いて展開した状態で示す図である。
【図５】本発明の第２の実施形態に係るウエストニッパーの裏側を、開閉部を開いて展開した状態で示す図である。
【図６】第２の実施形態の第１の変形例に係るウエストニッパーの裏側を、開閉部を開いて展開した状態で示す図である。
【図７】第２の実施形態の第２の変形例に係るウエストニッパーの裏側を、開閉部を開いて展開した状態で示す図である。
【図８】本発明の第３の実施形態に係るウエストニッパーの裏側を、開閉部を開いて展開した状態で示す図である。
【図９】本発明の第４の実施形態に係るウエストニッパーの裏側を、開閉部を開いて展開した状態で示す図である。
【発明を実施するための形態】
【００１９】
以下、図面を参照して本発明の体型補整衣類の好適な実施形態について詳細に説明する。なお、各図面において同一又は相当の部分に対しては同一の符号を附すこととする。
［第１の実施形態］
【００２０】
図１は、本発明の第１の実施形態に係るウエストニッパーの裏側を前側から示す図であり、図２は、本発明の第１の実施形態に係るウエストニッパーの裏側を脇側から示す図であり、図３は、本発明の第１の実施形態に係るウエストニッパーの裏側を背側から示す図である。図１〜３に示すウエストニッパー１は、本体部１０と、緊締部２０と、腹部緊締部３０とを備えている。図中に、左右（胴回り）方向について符号Ｘを付し、上下方向について符号Ｙを付してそれぞれ示す。
【００２１】
本体部１０は、着用者の胸部下部からウエストにわたる胴回り及び背部上部を被覆し、バストを被覆しない衣類である。本体部１０には、伸縮性を有する生地、例えば、パワーネット、サテンネット、トリコネット、ツーウェイトリコット、ツーウェイラッセル等の生地が適用可能である。これにより、本体部１０は強い緊締力を有する。
【００２２】
本体部１０は、前身頃（身頃部材）１２と後身頃（身頃部材）１４とを有し、これらを両脇側において縫合することにより形成されている。前身頃１２は、左前身頃（身頃部材）１２Ｌと右前身頃（身頃部材）１２Ｒとからなる。左前身頃１２Ｌ及び右前身頃１２Ｒの前中心側端部には、上下方向に等間隔に留め具（開閉部）５０が配置されており、この留め具５０によって、着脱時に開閉可能になっている。なお、本体部１０の裾部は、へそに相当する位置より約３〜４ｃｍ下方に位置している。これにより、裾部が捲れることを抑制することができる。
【００２３】
なお、本実施形態では、前身頃１２を左右に分割し、左前身頃１２Ｌ、右前身頃１２Ｒによって形成する例を挙げているが、本発明は、これに限定されるものではない。例えば、前身頃１２を左右に分割せずに一体的に形成するものとしてもよい。この場合には、本体部１０に脚を挿通して着脱するいわゆるステップインタイプの体型補整衣類とすることができる。
【００２４】
また、本実施形態のように前身頃１２を左右の身頃（左前身頃１２Ｌ、右前身頃１２Ｒ）に分割する代わりに、後身頃１４を左右の身頃に分割し、分割した左右の後身頃の連結部分に留め具等の開閉部を設けても良い。この場合には、後身頃側を左右に開閉することで着脱可能となる。
【００２５】
また、前身頃１２の前中心部には、腹部緊締部３０が設けられており、前身頃１２と後身頃１４とは、脇側部分の縫着部４０で連結されている。更に、前身頃１２及び後身頃１４の肌側には、部分的に、緊締部２０が設けられている。
【００２６】
腹部緊締部３０には、難伸縮性又は非伸縮性を有する部材、例えば、マーキゼット等が適用可能である。腹部緊締部３０は、留め具５０を境にして、左腹部緊締部３０Ｌと右腹部緊締部３０Ｒとからなる。左腹部緊締部３０Ｌは、左前身頃１２Ｌの前中心端部において、上下方向に延在しており、同様に、右腹部緊締部３０Ｒは、右前身頃１２Ｒの前中心端部において、上下方向に延在している。
【００２７】
縫着部４０は、左右両脇側において上下方向に延在しており、例えば、芯材を内臓したテープ材等によって形成することが好ましい。
【００２８】
緊締部２０は、左前緊締部２０Ｌと、右前緊締部２０Ｒと、背緊締部２０Ｂとからなる。左前緊締部２０Ｌと、右前緊締部２０Ｒと、背緊締部２０Ｂは、伸縮性を有し、かつ、端始末不要の生地、例えば、フリーカットの生地、パワーネット、ヘム素材、ラッセル等の当て布（締め付け部材）ＣＬを本体部１０の肌側に取り付けることによって形成されている。なお、当て布ＣＬには、難伸縮性や非伸縮性の素材も適用可能である。また、当て布ＣＬの仕様や種類を左前緊締部２０Ｌと、右前緊締部２０Ｒと、背緊締部２０Ｂでそれぞれ変更するようにしても良い。
【００２９】
左前緊締部２０Ｌ及び右前緊締部２０Ｒは、腹部中央から脇腹部を通るように斜め上方へ延在している。左前緊締部２０Ｌの前中心端部２０Ｌｃは、左腹部緊締部３０Ｌとの境界において（左腹部緊締部３０Ｌは留め具５０と連結しているので、換言すれば、留め具５０との境界において）、左前身頃１２Ｌに縫着されており、左前緊締部２０Ｌの脇端部２０Ｌｓは、縫着部４０において左前身頃１２Ｌに縫着されている。左前緊締部２０Ｌのその他の部分は、左前身頃１２Ｌに縫着されておらず、遊離している。すなわち、左前緊締部２０Ｌの上辺部２０Ｌｕ及び下辺部２０Ｌｌは、左前身頃１２Ｌに縫着されておらず、遊離している。
【００３０】
なお、本実施形態では、左前緊締部２０Ｌ及び右前緊締部２０Ｒは、左腹部緊締部３０Ｌ及び右腹部緊締部３０Ｒをそれぞれ間に挟んで留め具５０に連結されているが、左前緊締部２０Ｌ及び右前緊締部２０Ｒを留め具５０に直接連結するようにしても良い。
【００３１】
同様に、右前緊締部２０Ｒの前中心端部２０Ｒｃは、右腹部緊締部３０Ｒとの境界において（右腹部緊締部３０Ｒは留め具５０と連結しているので、換言すれば、留め具５０との境界において）、右前身頃１２Ｒに縫着されており、右前緊締部２０Ｒの脇端部３０Ｒｓは、縫着部４０において右前身頃１２Ｒに縫着されている。右前緊締部２０Ｒのその他の部分は、右前身頃１２Ｒに縫着されておらず、遊離している。すなわち、右前緊締部２０Ｒの上辺部２０Ｒｕ及び下辺部２０Ｒｌは、右前身頃１２Ｒに縫着されておらず、遊離している。
【００３２】
次に、背緊締部２０Ｂは、着用者の背部のウエストから上部にわたって配置されている。背緊締部２０Ｂの脇端部２０Ｂｓは、縫着部４０において後身頃１４に縫着されており、背緊締部２０Ｂの襟元部２０Ｂｎ及び袖部２０Ｂａは、それぞれ、後身頃１４の襟元部及び袖部において縫着されている。そして、背緊締部２０Ｂのその他の部分は、後身頃１４に縫着されておらず、遊離している。すなわち、背緊締部２０Ｂの上辺部２０Ｂｕ及び下辺部２０Ｂｌは、後身頃１４に縫着されておらず、遊離している。なお、背緊締部２０Ｂの下辺部２０Ｂｌは、ウエストに相当する位置より約３〜４ｃｍ下方に位置している。これにより、下辺部２０Ｂｌが捲れることを抑制することができる。
【００３３】
本実施形態では、左前緊締部２０Ｌと、右前緊締部２０Ｒと、背緊締部２０Ｂをそれぞれ異なる当て布ＣＬを本体部１０に取り付けることによって形成する例を挙げているが、本発明はこれに限定されるものではない。例えば、商品の仕様に応じて、左前緊締部２０Ｌと、右前緊締部２０Ｒと、背緊締部２０Ｂを一枚の当て布ＣＬによって形成するようにしても良い。
【００３４】
この第１の実施形態のウエストニッパー１によれば、緊締部２０は、本体部１０の前身頃１２と後身頃１４との連結部、留め具部、襟元部、又は、袖部以外において本体部１０に縫着されていないので、緊締部２０の存在が衣類本体部１０に現れることを抑制することができる。したがって、着用者に抵抗感を与えることがない。
【００３５】
また、この第１の実施形態のウエストニッパー１によれば、緊締部２０の上辺部２０Ｌｕ，２０Ｒｕ，２０Ｂｕ及び下辺部２０Ｌｌ，２０Ｒｌ，２０Ｂｌが本体部１０に縫着されていないので、緊締部２０によって覆う部分の贅肉を上辺縁２０Ｌｕ，２０Ｒｕ，２０Ｂｕよりも上方へ、また、下辺縁２０Ｌｌ，２０Ｒｌ，２０Ｂｌよりも下方へ移動させることができる。したがって、緊締部２０によって覆う部分の補整力を高めることができる。
【００３６】
ところで、例えば、緊締部の全体が衣類本体部に縫着されている場合、緊締部の被覆部と非被覆部との境界に段差が生じてしまう。しかしながら、この第１の実施形態のウエストニッパー１によれば、緊締部２０の上辺部２０Ｌｕ，２０Ｒｕ，２０Ｂｕ及び下辺部２０Ｌｌ，２０Ｒｌ，２０Ｂｌが本体部１０に縫着されていないので、緊締部２０の上辺縁２０Ｌｕ，２０Ｒｕ，２０Ｂｕ及び下辺縁２０Ｌｌ，２０Ｒｌ，２０Ｂｌ近傍部分のラインをスムージングすることができる。したがって、部分的に緊締部２０を配置しても、緊締部２０の被覆部と非被覆部との境界に段差が生じることを軽減することができる。
【００３７】
また、例えば、緊締部の全体が衣類本体部に縫着されている場合、着用者の動作に対して緊締部が追従し難く、緊締部の縫着部分が突っ張ってしまうことがある。これにより、体を捻るような動作を行う際に、着用者に窮屈感を与えてしまうことがある。しかしながら、この第１の実施形態のウエストニッパー１によれば、緊締部２０の上辺部２０Ｌｕ，２０Ｒｕ，２０Ｂｕ及び下辺部２０Ｌｌ，２０Ｒｌ，２０Ｂｌが本体部１０に縫着されていないので、体を捻るような着用者の動作に対して緊締部２０の上辺部２０Ｌｕ，２０Ｒｕ，２０Ｂｕ及び下辺部２０Ｌｌ，２０Ｒｌ，２０Ｂｌを追従し易くすることができ（運動追従性）、緊締部２０の上辺部２０Ｌｕ，２０Ｒｕ，２０Ｂｕ及び下辺部２０Ｌｌ，２０Ｒｌ，２０Ｂｌが突っ張り難くすることができる。その結果、着用者の窮屈感を低減することができる。
【００３８】
また、この第１の実施形態のウエストニッパー１によれば、緊締部２０の背部上部によって、ブラジャーのバックベルト、及び、バックベルトの留め具の存在が衣類本体部１０に現れることを抑制することができる。また、ブラジャーのバックベルト近傍のライン、及び、バックベルトの留め具の突出をスムージングすることができる。
【００３９】
また、この第１の実施形態のウエストニッパー１によれば、腹部緊締部３０によって腹部中央の補整力を高めることができる。また、縫着部４０によって本体部１０及び緊締部２０を支持し、本体部１０及び緊締部２０による補整力を高めることができる。
【００４０】
なお、この第１の実施形態のウエストニッパー１は、上記した形態に限定されることなく種々の変形が可能である。図４は、第１の実施形態の変形例に係るウエストニッパー２の裏側を、留め具５０を開いて展開した状態で示す図である。図４に示すように、緊締部２０における背緊締部２０Ｂの襟元部２０Ｂｎが、後身頃１４の襟元部に縫着されていなくてもよい。
［第２の実施形態］
【００４１】
図５は、本発明の第２の実施形態に係るウエストニッパーの裏側を、開閉部を開いて展開した状態で示す図である。図５に示すウエストニッパー３は、ウエストニッパー１において緊締部２０に代えて緊締部２１を備えている構成で第１の実施形態と異なっている。ウエストニッパー３のその他の構成は、ウエストニッパー１と同一である。
【００４２】
緊締部２１には、緊締部２０と同一の生地が適用可能である。緊締部２１は、左前緊締部２１Ｌと、右前緊締部２１Ｒと、上背緊締部２１ＢＵと、下背緊締部２１ＢＬとからなる。
【００４３】
左前緊締部２１Ｌ及び右前緊締部２１Ｒは、腹部中央から脇腹部を通るように左右方向に延在している。左前緊締部２１Ｌの前中心端部２１Ｌｃは、左腹部緊締部３０Ｌとの境界において左前身頃１２Ｌに縫着されており、左前緊締部２１Ｌの脇端部２１Ｌｓは、縫着部４０において左前身頃１２Ｌに縫着されている。左前緊締部２１Ｌのその他の部分は、左前身頃１２Ｌに縫着されておらず、遊離している。すなわち、左前緊締部２１Ｌの上辺部２１Ｌｕ及び下辺部２１Ｌｌは、左前身頃１２Ｌに縫着されておらず、遊離している。
【００４４】
同様に、右前緊締部２１Ｒの前中心端部２１Ｒｃは、右腹部緊締部３０Ｒとの境界において右前身頃１２Ｒに縫着されており、右前緊締部２１Ｒの脇端部２１Ｒｓは、縫着部４０において右前身頃１２Ｒに縫着されている。右前緊締部２１Ｒのその他の部分は、右前身頃１２Ｒに縫着されておらず、遊離している。すなわち、右前緊締部２１Ｒの上辺部２１Ｒｕ及び下辺部２１Ｒｌは、右前身頃１２Ｒに縫着されておらず、遊離している。
【００４５】
上背緊締部２１ＢＵは、着用者の背部上部において左右方向に延在している。上背緊締部２１ＢＵの脇端部２１ＢＵｓは、縫着部４０において後身頃１４に縫着されており、上背緊締部２１ＢＵの襟元部２１ＢＵｎ及び袖部２１ＢＵａは、それぞれ、後身頃１４の襟元部及び袖部において縫着されている。そして、上背緊締部２１ＢＵのその他の部分は、後身頃１４に縫着されておらず、遊離している。すなわち、上背緊締部２１ＢＵの上辺部２１ＢＵｕ及び下辺部２１ＢＵｌは、後身頃１４に縫着されておらず、遊離している。
【００４６】
下背緊締部２１ＢＬは、着用者のウエスト部において左右方向に延在している。下背緊締部２１ＢＬの脇端部２１ＢＬｓは、縫着部４０において後身頃１４に縫着されており、下背緊締部２１ＢＬのその他の部分は、後身頃１４に縫着されておらず、遊離している。すなわち、下背緊締部２１ＢＬの上辺部２１ＢＬｕ及び下辺部２１ＢＬｌは、後身頃１４に縫着されておらず、遊離している。
【００４７】
この第２の実施形態のウエストニッパー３でも、第１の実施形態と同様の利点を得ることができる。
【００４８】
なお、この第２の実施形態のウエストニッパー３は、上記した形態に限定されることなく種々の変形が可能である。図６は、第２の実施形態の第１の変形例に係るウエストニッパー４の裏側を、留め具５０を開いて展開した状態で示す図である。図６に示すウエストニッパー４は、ウエストニッパー３において緊締部２１に代えて緊締部２２を備えている点で第２の実施形態と異なっている。緊締部２２は、緊締部２１において上背緊締部２１ＢＵに代えて上背緊締部２２ＢＵを備えている点で緊締部２１と異なっている。このように、上背緊締部２２ＢＵの襟元部２２ＢＵｎが後身頃１４の襟元部に縫着されていなくてもよい。
【００４９】
なお、上背緊締部２２ＢＵでも、脇端部２２ＢＵｓが縫着部４０において後身頃１４に縫着されており、袖部２２ＢＵａが後身頃１４の袖部において縫着されている。そして、上背緊締部２２ＢＵのその他の部分は、後身頃１４に縫着されておらず、遊離している。すなわち、上背緊締部２２ＢＵの上辺部２２ＢＵｕ及び下辺部２２ＢＵｌは、後身頃１４に縫着されておらず、遊離している。
【００５０】
また、図７は、第２の実施形態の第２の変形例に係るウエストニッパー５の裏側を、留め具５０を開いて展開した状態で示す図である。図７に示すウエストニッパー５は、ウエストニッパー３において緊締部２１に代えて緊締部２３を備えている点で第２の実施形態と異なっている。緊締部２３は、緊締部２１において上背緊締部２１ＢＵに代えて上述した上背緊締部２２ＢＵを備えており、左前緊締部２１Ｌ及び右前緊締部２１Ｒに代えて上述した左前緊締部２０Ｌ、右前緊締部２０Ｒを備えていてもよい。
［第３の実施形態］
【００５１】
図８は、本発明の第３の実施形態に係るウエストニッパーの裏側を、開閉部を開いて展開した状態で示す図である。図８に示すウエストニッパー６は、ウエストニッパー３において緊締部２１に代えて緊締部２４を備えている構成で第２の実施形態と異なっている。ウエストニッパー６のその他の構成は、ウエストニッパー３と同一である。
【００５２】
緊締部２４は、緊締部２１において上背緊締部２１ＢＵを備えていない点で緊締部２１と異なっている。すなわち、緊締部２４は、緊締部２１における左前緊締部２１Ｌ、右前緊締部２１Ｒ、及び、下背緊締部２１ＢＵのみを備えている。換言すれば、緊締部２４は、ウエスト周りのみに緊締部を備えている。
【００５３】
この第３の実施形態のウエストニッパー６でも、第２の実施形態のウエストニッパー３における左前緊締部２１Ｌ、右前緊締部２１Ｒ、及び、下背緊締部２１ＢＵと同様の利点を得ることができる。
［第４の実施形態］
【００５４】
図９は、本発明の第４の実施形態に係るウエストニッパーの裏側を、開閉部を開いて展開した状態で示す図である。図９に示すウエストニッパー７は、ウエストニッパー３において緊締部２１に代えて緊締部２５を備えている構成で第２の実施形態と異なっている。ウエストニッパー７のその他の構成は、ウエストニッパー３と同一である。
【００５５】
緊締部２５は、緊締部２１において左前緊締部２１Ｌ、右前緊締部２１Ｒ、及び、下背緊締部２１ＢＵを備えていない点で緊締部２１と異なっている。すなわち、緊締部２５は、緊締部２１における上背緊締部２１ＢＵのみを備えている。換言すれば、緊締部２５は、背部上部のみに緊締部を備えている。
【００５６】
この第４の実施形態のウエストニッパー７でも、第２の実施形態のウエストニッパー３における上背緊締部２１ＢＵと同様の利点を得ることができる。
【００５７】
なお、本発明は上記した本実施形態に限定されることなく種々の変形が可能である。例えば、本実施形態では、腹部緊締部を備えていたが、腹部緊締部は備えていなくともよい。
【００５８】
また、本実施形態では、着脱時のための留め具（開閉部）５０を前身頃１２の前中心部に設けたが、留め具５０は後身頃１４の後中心部に設けてもよい。
【００５９】
また、本実施形態では、バストを被覆しないタイプのウエストニッパーを例示したが、本実施形態の特徴は、バストを覆うためのカップ部を備えるタイプのウエストニッパーにも適用可能である。また、本実施形態の特徴は、コルセットやボディスーツのように体型を補整するための衣類であればすべてに適用可能である。
【符号の説明】
【００６０】
１，２，３，４，５，６，７…ウエストニッパー（体型補整衣類）、１０…本体部、１２…前身頃（身頃部材）、１２Ｌ…左前身頃（身頃部材）、１２Ｒ…右前身頃（身頃部材）、１４…後身頃（身頃部材）、２０，２１，２２，２３，２４，２５…緊締部、２０Ｌ，２１Ｌ…左前緊締部、２０Ｒ，２１Ｒ…右前緊締部、２０Ｂ…背緊締部、２１ＢＵ，２２ＢＵ…上背緊締部、２１ＢＬ…下背緊締部、３０…腹部緊締部、３０Ｌ…左腹部緊締部、３０Ｒ…右腹部緊締部、４０…縫着部、５０…留め具（開閉部）、ＣＬ…当て布（締め付け部材）。
【図１】
2012233286.tif 000003
【図２】
2012233286.tif 000004
【図３】
2012233286.tif 000005
【図４】
2012233286.tif 000006
【図５】
2012233286.tif 000007
【図６】
2012233286.tif 000008
【図７】
2012233286.tif 000009
【図８】
2012233286.tif 000010
【図９】
2012233286.tif 000011